(57)【特許請求の範囲】
【請求項１】
内部にバッテリーが装着され、側面に開閉可能なバッテリー装着部を有する照明灯本体と；
前記照明灯本体の前方に設置される集光レンズと；
前記集光レンズを保護するように前記照明灯本体の前方に着脱可能に結合される保護キャップと；
前記照明灯本体の内部に設置され、ランプが連結される回路基板と；
前記回路基板に結合され、前記バッテリーが選択的に接続及び短絡される接続端子と；
前記バッテリー装着部に設置されて、前記バッテリーを前記接続端子側に弾性加圧する弾性部材と；
前記照明灯本体が着脱可能に載置され、載置時、前記バッテリーと前記接続端子との接続状態を短絡させ、分離時に、前記バッテリーと前記接続端子との接続を許容する載置台と；を含み、
前記照明灯本体と前記保護キャップのそれぞれには相互ロッキング結合される弾性フック及びロッキング突起が互いに対応する位置に設置され、
前記集光レンズの枠には前記弾性フックに対応する位置に溝部が形成されることを特徴とする携帯用照明灯。
【請求項２】
前記照明灯本体の内部には前記バッテリー装着部と隔離され、前記照明灯本体内外に出没されるように設置される安全紐が収納される安全紐収納部が備えられ、
前記安全紐収納部と前記バッテリー装着部は前記照明灯本体の一側に着脱可能に結合されるバッテリーカバーによって選択的に開閉可能であることを特徴とする請求項１に記載の携帯用照明灯。
【請求項３】
前記照明灯本体は、
前記バッテリー装着部と前記安全紐収納部とを有する第１ケースと；
前記第１ケースと相補的に接合されて結合される第２ケースと；
前記第２ケースと結合される反対側に開放される前記バッテリー装着部及び前記安全紐収納部を閉鎖させるように結合されるバッテリーカバーと；を含み、
前記第１ケース及び第２ケースの結合部分には前記安全紐収納部に収納される安全紐が通過する安全紐連結溝が形成されることを特徴とする請求項２に記載の携帯用照明灯。
【請求項４】
前記第１ケース及び第２ケースの前方には前記ランプを外部に開放させる孔が中央部分に形成され、外側に行くほど拡張形成された前面壁が一体に形成されることを特徴とする請求項３に記載の携帯用照明灯。
【請求項５】
前記照明灯本体の内部には前記回路基板が装着される基板装着部と、
前記回路基板に結合される接続端子が安着される端子装着溝とがそれぞれ設置されることを特徴とする請求項１、請求項２、請求項３または４の何れか一項に記載の携帯用照明灯。
【請求項６】
前記載置台には前記照明灯本体が載置される時に前記照明灯本体に形成されたスイッチ孔を通じて前記バッテリー装着部に装着されたバッテリーと前記接続端子との間に進入させて、前記バッテリーが前記接続端子と分離されるように前記バッテリーを前記弾性部材側に強制的に移動させるスイッチング突起が設置されることを特徴とする請求項１、請求項２、請求項３または４の何れか一項に記載の携帯用照明灯。
【発明の詳細な説明】
【技術分野】
【０００１】
本発明は組み立てが容易で、管理が便利な携帯用照明灯に関する。
【背景技術】
【０００２】
図１によれば、従来の携帯用照明灯１０は、円筒状の本体１１の開放された前面部分に結合されるキャップ部材１２と、キャップ部材１２によって本体１１の前面部分に支持されるレンズ部材１３と、レンズ部材１３の内側に設置されてランプ１５を有する回路基板１４と、本体１１の内部に設置されるバッテリー１６を回路基板１４側に加圧するスプリング１７とを含む。
【０００３】
ここで、キャップ部材１２は本体１１の前面部に回転方式、即ち螺旋をそれぞれ本体１１とキャップ部材１２に形成して結合する方式によって相互結合及び分離することができる。
【０００４】
ところが、このように、螺旋方式によって本体１１とキャップ部材１２とを結合する構造のために、本体１１とキャップ部材１２を円筒状に製作しなければならないため、それによる金型の製作や組み立てが困難であった。
【０００５】
また、バッテリー１６の漏水液が本体１０とキャップ部材１２との間に染み込んで浸る程度がひどくて、内部のバッテリー１６やランプ１５などの消耗品を交換するためにキャップ部材１２を分離する時、破損したり容易に分離されないという問題点があった。
【０００６】
また、本体１１の後方にはリング１８が形成され、そのリング１８には照明灯を使用中に使用者から離脱するのを防止するために首や手首などにかけることができる安全紐１９が連結されているが、このような安全紐１９は普段も本体１１の外部に露出されているため、保管時に不便であることから、このような安全紐１９が排除されているのが実情である。
【発明の概要】
【発明が解決しようとする課題】
【０００７】
本発明は上記のような問題に鑑みて創案されたもので、螺旋形方式による結合を排除して、ワンタッチロッキング方式によって組み立て及び分離が可能であり、安全紐の保管が容易になるよう構造が改善された携帯用照明灯を提供することにその目的がある。
【課題を解決するための手段】
【０００８】
上記目的を達するための本発明の携帯用照明灯は、内部にバッテリーが装着され、側面に開閉可能なバッテリー装着部を有する照明灯本体と；上記照明灯本体の前方に設置される集光レンズと；上記集光レンズを保護するように上記照明灯本体の前方に着脱可能に結合される保護キャップと；上記照明灯本体内部に設置され、ランプが連結される回路基板と；上記回路基板に結合され、上記バッテリーが選択的に接続及び短絡される接続端子と；上記バッテリー装着部に設置されて、上記バッテリーを上記接続端子側に弾性加圧する弾性部材と；上記照明灯本体が着脱可能に載置され、載置時に上記バッテリーと上記接続端子の接続状態を短絡させ、分離時には上記バッテリーと上記接続端子の接続を許容する載置台と；を含むことを特徴とする。
【０００９】
ここで、上記照明灯本体と上記保護キャップのそれぞれには相互ロッキング結合される弾性フック及びロッキング突起が互いに対応する位置に設置されることが好ましい。
【００１０】
また、上記照明灯本体の内部には上記バッテリー装着部と隔離され、上記照明灯本体内外に出没されるように設置される安全紐が収納される安全紐収納部が備えられ、上記安全紐収納部と上記バッテリー装着部は上記照明灯本体の一側に着脱可能に結合されるバッテリーカバーによって選択的に開閉可能であることが好ましい。
【００１１】
また、上記照明灯本体は、上記バッテリー装着部と上記安全紐収納部を有する第１ケースと；上記第１ケースと相補的に接合されて結合される第２ケースと；上記第２ケースと結合される反対側に開放される上記バッテリー装着部と上記安全紐収納部を閉鎖させるように結合されるバッテリーカバーと；を含み、上記第１ケース及び第２ケースの結合部分には上記安全紐収納部に収納される、安全紐が通過する安全紐連結溝が形成されることが好ましい。
【００１２】
また、上記第１ケース及び第２ケースの前方には上記ランプを外部に開放させる孔が中央部分に形成され、外側に行くほど拡張形成された前面壁が一体に形成されたことが好ましい。
【００１３】
また、上記照明灯本体の内部には上記回路基板が装着される基板装着部と、上記回路基板に結合される接続端子が安着される端子装着溝がそれぞれ設置されることが好ましい。
【００１４】
また、上記載置台には上記照明灯本体が載置される時に上記照明灯本体に形成されたスイッチ孔を通じて上記バッテリー装着部に装着されたバッテリーと上記接続端子との間に進入されて、上記バッテリーが上記接続端子と分離されるように上記バッテリーを上記弾性部材の方へ強制に移動させるスイッチング突起が設置されることが好ましい。
【発明の効果】
【００１５】
本発明の携帯用照明灯によれば、従来とは異なって、照明灯本体と保護キャップを弾性フック及びロッキング突起を利用して所謂ワンタッチ式で結合する構成を有することによって、ねじ山を利用した結合方式を排除することができる。
【００１６】
従って、バッテリー液の漏水によるキャップの浸る程度がひどくて開閉が難しかった問題点を解決することができ、円筒状の構造から多様な外形を有する照明灯の設計及びデザインが可能になって、多様なデザインの製品を提供することができるという利点がある。
【００１７】
また、バッテリーは別途に備えられたバッテリーカバーを開閉して交換した後装着すれば良いので、従来のように、保護キャップを開いて複数の部品を分離した状態でバッテリーを装着する必要がなくなって便利に使うことができる。
【００１８】
また、安全紐収納部を照明灯本体の内部に別途に設けることによって、普段、即ち保管時には安全紐を収納部の内部に収納して外側に露出されないようにして、きれいに整理して保管し、使用時には使用者が安全紐を外側で引っ張って便利に使うことができる。
【図面の簡単な説明】
【００１９】
【図１】従来の携帯用照明灯を示す断面図である。
【図２】本発明の実施例による携帯用照明灯を示す結合斜視図である。
【図３】本発明の実施例による携帯用照明灯を示す分離斜視図である。
【図４ａ】本発明の実施例による携帯用照明灯を示す断面図である。
【図４ｂ】本発明の実施例による携帯用照明灯を示す断面図である。
【図４ｃ】本発明の実施例による携帯用照明灯を示す断面図である。
【図５】図３に示す第１ケースを抜粋して示す斜視図である。
【図６ａ】照明灯本体内に回路基板と接続端子が結合される状態を説明するための図面である。
【図６ｂ】照明灯本体内に回路基板と接続端子が結合される状態を説明するための図面である。
【図７】図３に示す第２ケースを抜粋して示す斜視図である。
【図８】図３に示す回路基板及び接続端子を抜粋して示す斜視図である。
【図９】図３に示す保護キャップを抜粋して示す斜視図である。
【発明を実施するための形態】
【００２０】
以下添付された図面を参照して本発明の実施例による携帯用照明灯を詳しく説明する。
【００２１】
図２〜図９によれば、本発明の実施例による携帯用照明灯１００は、照明灯本体１１０と、本体１１０の前面に設置される集光レンズ１２０と、集光レンズ１２０を保護するように本体１１０の前面に結合される保護キャップ１３０と、本体１１０の内部に設置され、ランプ１４１を有する回路基板１４０と、本体１１０の内部に設置されるバッテリー２００の電源を上記回路基板１４０に伝達する接続端子１５０と、バッテリー２００を接続端子１５０側に弾力的に加圧する弾性部材１６０と、本体１１０に連結される安全紐１７０と、上記本体１１０が選択的に載置されたり分離され、載置の有無によって上記ランプ１４１をスイッチングオンまたはオフさせる載置台１８０とを備える。
【００２２】
上記本体１１０は互いに結合及び分離可能な第１ケース１１１及び第２ケース１１３、及びバッテリーカバー１１５を備える。第１ケース１１１及び第２ケース１１３は相互相補的に接触されて、本体１１０の外形を成す部分で、相互ねじなどによって分離されないように結合することができる。第１ケース１１１にはバッテリー２００が収容されるバッテリー装着部１１１ａが備えられ、バッテリー装着部１１１ａはバッテリーカバー１１５によって開閉可能な構成を有する。バッテリー装着部１１１ａに隣接して、第１ケース１１１の後方側には安全紐収納部１１１ｂが備えられる。上記安全紐収納部１１１ｂは上記バッテリーカバー１１５によって選択的に開閉されるように備えられる。このような安全紐収納部１１１ｂの外側壁には一対の安全紐連結溝１１１ｃが形成される。安全紐連結溝１１１ｃは第２ケース１１３と接合される部分にそれぞれ相補的に対応する位置に形成されることによって、第１ケース１１１及び第２ケース１１３の結合時、安全紐１７０が挿入されて支持される孔になる。このように、本体１１０の内部に安全紐収納部１１１ｂを別途に備えることによって、普段には安全紐１７０を安全紐収納部１１１ｂの内部に引き寄せて収納した状態で保管し（図４ｂの状態参照）、必要時には本体１１０の外部で安全紐１７０を引っ張って本体１１０の外部に取り出して使うことができる（図４ａの状態参照）。そして、バッテリーカバー１１５を分離して安全紐収納部１１１ｂを開放した状態で、安全紐１７０を安全紐収納部１１１ｂに引っ張って収納する作業を容易に行うことができる。
【００２３】
上記バッテリー装着部１１１ａの内部にはバッテリー２００を本体１１０の前方、即ち回路基板１４０の方に弾性加圧するための弾性部材１６０が設置される。そして、バッテリー装着部１１１ａの内壁には弾性部材１６０の一端を固定装着するための装着部１１１ｄが形成される。上記弾性部材１６０は弾性スプリングであることが好ましい。
【００２４】
また、第１ケース１１１及び第２ケース１１３には、前方にはランプ１４１を開放させる孔ｈ１が中央部分に形成され、外側に行くほど拡張形成された前面壁１１２が形成され、好ましくは第１ケース１１１及び第２ケース１１３と一体に形成される。その前面壁１１２とバッテリー装着部１１１ａとの間には回路基板１４０が装着される基板装着部１１１ｅ、１１３ｅが形成される。基板装着部１１１ｅ、１１３ｅに回路基板１４０が挟まれた状態で第１ケース１１１及び第２ケース１１３が相互接合されて結合されることによって、回路基板１４０は安定した姿勢で本体１１０の内部に装着されることができる。回路基板１４０を装着する際に上記接続端子１５０も回路基板１４０に結合された状態で基板装着部１１１ｅ、１１３ｅの間に安定的に装着されることができるようにする端子装着溝１１１ｆが基板装着部１１１ｅの間に形成される。
【００２５】
また、第１ケース１１１及び第２ケース１１３の前方には上記集光レンズ１２０が設置される。集光レンズ１２０は第１ケース１１１及び第２ケース１１３の前方に結合される保護キャップ１３０によって保護されて安全に設置される。保護キャップ１３０と本体１１０とは所謂ワンタッチ式に結合される。このようなワンタッチ式結合のために、第１ケース１１１及び第２ケース１１３の前方にはそれぞれ弾性フック１１４ａ、１１４ｂが設置され、保護キャップ１３０の内側には弾性フック１１４ａ、１１４ｂが弾力的にロッキング結合されるロッキング突起１３１が設置される。保護キャップ１３０は非円形の筒形状を有し、その内部の互いに対向する内側面にロッキング突起１３１が設置される。
【００２６】
このような構成によれば、集光レンズ１２０を本体１１０の前方部に位置させた状態で、保護キャップ１３０で集光レンズ１２０の枠を囲みながら、第１ケース１１１及び第２ケース１１３の結合部１１１ｇ、１１３ｇの外側に結合すれば、保護キャップ１３０のロッキング突起１３１に上記弾性フック１１４ａ、１１４ｂがロッキング結合されて堅固に結合される。
【００２７】
また、上記集光レンズ１２０の枠には上記弾性フック１１４ａ、１１４ｂに対応する位置に溝部１２１が形成される。従って、図２のように、保護キャップ１３０が本体１１０に結合された状態で分離する必要がある時には、溝部１２１を通じて弾性フック１１４ａ、１１４ｂとロッキング突起１３１とのロッキング状態を強制的に分離して保護キャップ１３０と本体１１０とを分離することができる。
【００２８】
また、上記バッテリーカバー１１５はバッテリー装着部１１１ａと安全紐収納部１１１ｂを同時に開閉させることができるように第１ケース１１１に着脱可能に設置される。このために、バッテリーカバー１１５の一端には係止突起１１５ａが形成され、他端にはフック部材１１５ｂが形成される。
【００２９】
上記回路基板１４０の前面にはランプ１４１が設置される。このランプ１４１は低電力高効率のＬＥＤであることが好ましい。回路基板１４０の前面には接続端子１５０が電気的に接続される複数の端子部１４２が設けられる。複数の端子部に電気的に接続されるように上記接続端子１５０が回路基板１４０に結合される。このような接続端子１５０は、図８に示すように、回路基板１４０をクランプする方式によって結合される第１端子片１５１及び第２端子片１５１、１５２を有する。第１端子片１５１は一対が備えられ、回路基板１４０の前面に位置されて、端子部１４２に電気的に接続される。そして、第２端子片１５２は回路基板１４０の後面に接触されるように位置されて、バッテリー２００の端子が接触される。
【００３０】
このような構成を有する回路基板１４０及び接続端子１５０は互いに結合された状態で、上記基板装着部１１１ｅ、１１３ｅと端子装着溝１１１ｆにそれぞれ装着される。
【００３１】
上記安全紐１７０は、普段は上記安全紐収納部１１１ｂの内部に収納されて保管され、必要時には使用者本体１１０の外部に露出された部分を外部で引っ張って用いることができる。このように、安全紐１７０を本体１１０の内部に挿入させて保管することができる構成を有することによって、従来のように、保管時に干渉などによって不便な点を解消することができる。
【００３２】
上記載置台１８０は上記本体１１０が載置される部分で、建物、家具などのような構造物の壁面にねじなどによって結合されたり載置されることができる。このような載置台１８０にはランプ１４１のスイッチング動作を制御するためのスイッチング突起１８１が設置される。上記スイッチング突起１８１は載置台１８０に本体１１０を装着する時に、本体１１０に形成されたスイッチ孔１１７を通じて本体１１０の内部に挿入されて、バッテリー２００と接続端子１５０との間に進入されてバッテリー２００を接続端子１５０から分離させることによって、ランプ１４１がオフ状態になるようにする。
【００３３】
即ち、上記構成を有するスイッチング突起１８１を載置台１８０に設置することによって、本体１１０を載置台１８０に載置させた状態では、ランプ１４１はオフ状態に保持され（図４ｂの状態参照）、使用者が本体１１０を載置台１８０から分離すると、別途のスイッチング動作をしなくても、ランプ１４１は続いてオン（ｏｎ）状態になる（図４ａの状態参照）。このような構成の携帯用照明灯１００は、特に非常用に建物やその他必要な所に設置する場合、必要な人が本体１１０を載置台１８０から分離して携帯する間は継続して照明がついた状態を維持するので、非常時にスイッチの誤動作や動作不能などの故障による問題を根本的に解決することができるという利点がある。
【００３４】
以上で説明したように、本発明の携帯用照明灯１００は、従来のように、キャップにねじ山を形成して本体と結合する組み立て方法を排除して、弾性フック及びロッキング突起を利用してワンタッチ式で組立てることができ、バッテリーは別途の位置に設置されるバッテリーカバーを通じて開閉可能なバッテリー装着部に装着することによって容易に交換し装着することができる。
【００３５】
また、安全紐収納部１１１ｂを別途に備えることによって、安全紐１７０を照明灯本体１１０の内部に収納して処理することができるので、保管時に安全紐１７０が干渉されることを排除することができる。
【００３６】
また、載置台１８０に照明灯本体１１０を載置した状態では、照明がオフ（ｏｆｆ）状態を維持し、載置台１８０から本体１１０を分離すれば自動に照明がオン（ｏｎ）状態になるので、非常時に誰でも容易に使用可能な利点がある。
【００３７】
特に、保管時には、バッテリー２００と接続端子１５０が物理的に完全に分離された状態で維持されるので、バッテリー２００の放電を抑制し、バッテリー２００の漏水液が接続端子１５０と回路基板１４０に流れて汚染させてへばり付く問題を根本的に解決することができるという利点がある。
【００３８】
以上、本発明を本発明の原理を例示するための好ましい実施例を図示して説明したが、本発明は図示されて説明されたそのままの構成及び作用に限定されるものではない。むしろ添付された特許請求の範囲の思想及び範囲を逸脱することなく、本発明に対する多様な変更及び修正が可能であることは当業者にとって自明である。
【符号の説明】
【００３９】
１００  携帯用照明灯
１１０  照明灯本体
１１１  第１ケース
１１３  第２ケース
１１５  バッテリーカバー
１２０  集光レンズ
１３０  保護キャップ
１４０  回路基板
１４１  ランプ
１５０  接続端子
１６０  弾性部材
１７０  安全紐
１８０  載置台
【図１】
0005890526.tif 000002
【図２】
0005890526.tif 000003
【図３】
0005890526.tif 000004
【図４ａ】
0005890526.tif 000005
【図４ｂ】
0005890526.tif 000006
【図４ｃ】
0005890526.tif 000007
【図５】
0005890526.tif 000008
【図６ａ】
0005890526.tif 000009
【図６ｂ】
0005890526.tif 000010
【図７】
0005890526.tif 000011
【図８】
0005890526.tif 000012
【図９】
0005890526.tif 000013